(57)【要約】【課題】利用者の行動パターンに応じた操作を自動的に行うことができるエレベータの遠隔操作用プログラム、エレベータの遠隔操作用プログラムを有する携帯無線端末、及び携帯無線端末によって操作されるエレベータを提供する。【解決手段】遠隔操作用プログラムは、携帯端末１に、乗場近距離無線通信機３００と通信したか否かを判断する通信判断ステップを含む開始ステップと、乗場近距離無線通信機３００と通信したと判断したときに、予め登録された乗場呼びの要否についての条件に応じて呼び信号を出力させるか否かを判断する呼び判断ステップと、呼び信号を出力させると判断したときに、制御マイコン２０に向けて呼び信号を出力させる呼び信号出力ステップと、呼び信号を出力させると判断したときに、予め登録された行き先階を指定する行き先階信号を出力させる行き先信号出力ステップと、を行わせる。【選択図】図１
2019001628.tif 000002
【特許請求の範囲】
【請求項１】
携帯無線端末にインストールされ且つ該携帯無線端末をエレベータの制御マイコンと通信させるエレベータの遠隔操作用プログラムであって、
前記携帯無線端末に、
前記エレベータの乗場に設けられた乗場近距離無線通信機と通信したか否かを判断する通信判断ステップを含む開始ステップと、
前記通信判断ステップにおいて前記乗場近距離無線通信機と通信したと判断したときに、予め登録された乗場呼びの要否についての条件に応じて、該乗場呼びのための呼び信号を出力させるか否かを判断する呼び判断ステップと、
前記呼び判断ステップにおいて前記呼び信号を出力させると判断したときに、前記制御マイコンに向けて前記呼び信号を出力させる呼び信号出力ステップと、
少なくとも前記呼び判断ステップにおいて前記呼び信号を出力させると判断したときに、予め登録された行き先階を指定する行き先階信号を出力させる行き先信号出力ステップと、
を行わせる、ことを特徴とするエレベータの遠隔操作用プログラム。
【請求項２】
前記開始ステップは、前記携帯無線端末の時計機能部から現在の時刻を取得し、且つ、該現在の時刻が予め登録された時刻又は予め登録された時間帯であるか否かを判断する時刻判断ステップを含み、
前記時刻判断ステップにおいて前記現在の時刻が予め登録された時刻又は予め登録された時間帯であると判断したときに、前記呼び判断ステップを行わせる、請求項１に記載のエレベータの遠隔操作用プログラム。
【請求項３】
前記予め登録された前記乗場呼びの要否、及び、前記予め登録された前記行き先階は、前記予め登録された時刻毎又は前記予め登録された時間帯毎に関連付けて登録されている、請求項２に記載のエレベータの遠隔操作用プログラム。
【請求項４】
前記乗場近距離無線通信機を介して前記制御マイコンから出力される信号であって、前記エレベータの固有の情報が前記携帯無線端末に予め登録された前記エレベータの固有の情報と異なる旨の信号が出力されたときに、前記呼び信号出力ステップ及び前記行き先信号出力ステップを中止させる、請求項１〜３のいずれか１項に記載のエレベータの遠隔操作用プログラム。
【請求項５】
前記携帯無線端末に予め登録されたスケジュール情報から場所及び時間の情報を取得し、該場所及び時間の情報に応じて、前記予め登録された前記乗場における前記乗場呼びの要否についての条件、及び前記予め登録された前記行き先階を変更させる、請求項１〜４のいずれか１項に記載のエレベータの遠隔操作用プログラム。
【請求項６】
前記行き先階出力ステップは、かごに配置されたかご近距離無線通信機と前記携帯無線端末とが通信可能となったときに前記行き先階信号を出力させる、請求項１〜５のいずれか１項に記載のエレベータの遠隔操作用プログラム。
【請求項７】
請求項１〜６のいずれか１項に記載のエレベータの遠隔操作用プログラムを有する、ことを特徴とする携帯無線端末。
【請求項８】
複数の乗場に配置された複数の乗場近距離無線通信機であって、請求項１〜５のいずれか１項に記載のエレベータの遠隔操作用プログラムを有する前記携帯無線端末と通信可能な複数の乗場近距離無線通信機と、
前記複数の乗場近距離無線通信機の各々と通信可能で且つかごの動作を制御する前記制御マイコンと、
を備える、ことを特徴とするエレベータ。
【請求項９】
複数の乗場に配置された複数の乗場近距離無線通信機であって、請求項６に記載のエレベータの遠隔操作用プログラムを有する前記携帯無線端末と通信可能な複数の乗場近距離無線通信機と、
前記かごに配置されたかご近距離無線通信機であって、前記携帯無線端末と通信可能なかご近距離無線通信機と、
前記複数の乗場近距離無線通信機の各々及び前記かご近距離無線通信機と通信可能で且つ前記かごの動作を制御する前記制御マイコンと、
を備える、ことを特徴とするエレベータ。
【発明の詳細な説明】
【技術分野】
【０００１】
本発明は、遠隔でエレベータの乗場呼びや行き先階の指定等の操作を行う遠隔操作用プログラム、エレベータの遠隔操作用プログラムを有する携帯無線端末、及び携帯無線端末によって操作されるエレベータに関する。
【背景技術】
【０００２】
従来から、エレベータの乗場呼びや行き先階の指定を遠隔で行う遠隔操作用プログラムが提供されている。このような遠隔操作用プログラムでは、例えば、利用者が、携帯電話機をリモコンとして操作することで、エレベータに対して乗場呼び等の操作を行うことができる（特許文献１参照）。
【０００３】
しかしながら、かかる遠隔操作用プログラムでは、エレベータが集合住宅やオフィスビルに設置され、且つ、利用者の行動パターンが決まっているため、乗り降りを行う乗場（階床）が決まっている場合であっても、利用者がエレベータを利用する度に携帯電話機を操作して乗場呼びや行き先階の指定を行う必要があり、煩わしいという問題があった。
【先行技術文献】
【特許文献】
【０００４】
【特許文献１】特開２００５−９６９８２号公報
【発明の概要】
【発明が解決しようとする課題】
【０００５】
そこで、本発明は、利用者の行動パターンに応じた操作を自動的に行うことができるエレベータの遠隔操作用プログラム、エレベータの遠隔操作用プログラムを有する携帯無線端末、及び携帯無線端末によって操作されるエレベータを提供する。
【課題を解決するための手段】
【０００６】
本発明のエレベータの遠隔操作用プログラムは、携帯無線端末にインストールされ且つ該携帯無線端末をエレベータの制御マイコンと通信させるエレベータの遠隔操作用プログラムであって、前記携帯無線端末に、前記エレベータの乗場に設けられた乗場近距離無線通信機と通信したか否かを判断する通信判断ステップを含む開始ステップと、前記通信判断ステップにおいて前記乗場近距離無線通信機と通信したと判断したときに、予め登録された乗場呼びの要否についての条件に応じて、該乗場呼びのための呼び信号を出力させるか否かを判断する呼び判断ステップと、前記呼び判断ステップにおいて前記呼び信号を出力させると判断したときに、前記制御マイコンに向けて前記呼び信号を出力させる呼び信号出力ステップと、少なくとも前記呼び判断ステップにおいて前記呼び信号を出力させると判断したときに、予め登録された行き先階を指定する行き先階信号を出力させる行き先信号出力ステップと、を行わせる、ことを特徴とする。
【０００７】
上記エレベータの遠隔操作用プログラムは、携帯無線端末に、予め登録された条件に応じて乗場呼びを行わせて、乗場呼びを行わせた場合に予め登録された行き先階を指定させる。言い換えると、このプログラムは、利用者に入力等を行わせることなく、携帯無線端末に、利用者の行動パターン（予め登録された条件）に応じたエレベータの遠隔操作（乗場呼び及び行き先階の指定）を自動的に行わせることができる。
【０００８】
前記エレベータの遠隔操作用プログラムでは、前記開始ステップは、前記携帯無線端末の時計機能部から現在の時刻を取得し、且つ、該現在の時刻が予め登録された時刻又は予め登録された時間帯であるか否かを判断する時刻判断ステップを含み、前記時刻判断ステップにおいて前記現在の時刻が予め登録された時刻又は予め登録された時間帯であると判断したときに、前記呼び判断ステップを行わせてもよい。
【０００９】
かかる構成によれば、携帯無線端末に、現在の時刻が登録された時刻又は時間帯である場合に各種ステップを行わせることで、利用者の行動パターンに応じて、エレベータの遠隔操作を行わせることができる。
【００１０】
前記エレベータの遠隔操作用プログラムでは、例えば、前記予め登録された前記乗場呼びの要否、及び、前記予め登録された前記行き先階は、前記予め登録された時刻毎又は前記予め登録された時間帯毎に関連付けて登録されてもよい。
【００１１】
前記エレベータの遠隔操作用プログラムでは、前記乗場近距離無線通信機を介して前記制御マイコンから出力される信号であって、前記エレベータの固有の情報が前記携帯無線端末に予め登録された前記エレベータの固有の情報と異なる旨の信号が出力されたときに、前記呼び信号出力ステップ及び前記行き先信号出力ステップを中止させてもよい。
【００１２】
かかる構成によれば、予め登録されたエレベータ以外のエレベータに対する操作を防ぐことができる。
【００１３】
前記エレベータの遠隔操作用プログラムでは、前記携帯無線端末に予め登録されたスケジュール情報から場所及び時間の情報を取得し、該場所及び時間の情報に応じて、前記予め登録された前記乗場における前記乗場呼びの要否についての条件、及び前記予め登録された前記行き先階を変更させてもよい。
【００１４】
かかる構成によれば、携帯無線端末に予め登録されたスケジュール情報を利用することで、乗場呼びの要否や行き先階に関する情報を別途入力することを省略できる。
【００１５】
前記エレベータの遠隔操作用プログラムでは、前記行き先階出力ステップは、かごに配置されたかご近距離無線通信機と前記携帯無線端末とが通信可能となったときに前記行き先階信号を出力させてもよい。
【００１６】
かかる構成によれば、携帯無線端末を所持する利用者がかごに接近した場合に（例えば、利用者がかごに搭乗した場合に）携帯無線端末から行き先階信号を出力させるため、この利用者がかごに接近していない（例えば、利用者がかごに搭乗していない）にもかかわらず携帯無線端末から行き先階信号が出力されることを防止することができる。
【００１７】
本発明の携帯無線端末は、上記エレベータの遠隔操作用プログラムを有する、ことを特徴とする。
【００１８】
上記携帯無線端末は、上記プログラムを有するため、上記作用効果を奏することができる。
【００１９】
本発明のエレベータは、複数の乗場に配置された複数の乗場近距離無線通信機であって、上記エレベータの遠隔操作用プログラムを有する前記携帯無線端末と通信可能な複数の乗場近距離無線通信機と、前記複数の乗場近距離無線通信機の各々と通信可能で且つかごの動作を制御する前記制御マイコンと、を備える、ことを特徴とする。
【００２０】
上記エレベータは、上記プログラムに基づいて操作されるため、上記作用効果を奏することができる。
【００２１】
本発明のエレベータは、複数の乗場に配置された複数の乗場近距離無線通信機であって、上記エレベータの遠隔操作用プログラムを有する携帯無線端末と通信可能な複数の乗場近距離無線通信機と、前記かごに配置されたかご近距離無線通信機であって、前記携帯無線端末と通信可能なかご近距離無線通信機と、前記複数の乗場近距離無線通信機の各々及びかご近距離無線通信機と通信可能で且つ前記かごの動作を制御する前記制御マイコンと、
を備える、ことを特徴とする。
【００２２】
上記エレベータは、上記プログラムに基づいて操作されるため、上記作用効果を奏することができる。
【発明の効果】
【００２３】
以上より、本発明によれば、利用者の行動パターンに応じた操作を自動的に行うことができるエレベータの遠隔操作用プログラム、エレベータの遠隔操作用プログラムを有する携帯無線端末、及び携帯無線端末によって操作されるエレベータを提供することができる。
【図面の簡単な説明】
【００２４】
【図１】図１は、本発明の一実施形態に係る携帯無線端末、エレベータ、及び、建物を示すブロック図である。
【図２】図２は、本発明の一実施形態に係る建物の各乗場を示すブロック図である。
【図３】図３は、本発明の一実施形態に係る携帯無線端末を示すブロック図である。
【図４】図４は、本発明の一実施形態に係る携帯無線端末の記憶部に記憶されている判断テーブルである。
【図５】図５は、本発明の一実施形態に係る遠隔操作用プログラムの処理を示すフローチャート図である。
【図６】図６は、本発明の一実施形態に係る遠隔操作用プログラムの処理を示すフローチャート図である。
【図７】図７は、本発明の変形例に係る携帯無線端末の記憶部に記憶されているスケジュール表である。
【図８】図８は、本発明の変形例に係る携帯無線端末の記憶部に記憶されている補助データベースである。
【発明を実施するための形態】
【００２５】
以下、本発明に係るエレベータの遠隔操作用プログラム、このプログラムを有する携帯無線端末、及びこの携帯無線端末によって操作されるエレベータについて説明する。エレベータの遠隔操作用プログラムは、携帯無線端末にインストールされて実行される。この遠隔操作用プログラムをインストールした携帯無線端末は、乗場呼びやかごの行き先階の指定を利用者の行動パターンに応じて自動的に実行する。
【００２６】
図１に示す携帯端末（携帯無線端末）１は、エレベータの遠隔操作用プログラム（以下、単に「遠隔操作用プログラム」と称する。）を有する。携帯端末１は、遠隔操作用プログラムにより、エレベータ２の制御マイコン２０に対して通信可能とされる。
【００２７】
尚、図１では、三台のエレベータ２Ａ、２Ｂ、２Ｃが示されている。本実施形態では、エレベータ２は、建物３に一台ずつ設置されている。具体的に、エレベータ２Ａは、利用者の自宅マンションである６階建ての建物３Ａに設置されている。エレベータ２Ｂは、利用者の職場の一方の棟（例えば、本館）である４階建ての建物３Ｂに設置されている。エレベータ２Ｃは、利用者の職場の他方の棟（例えば、新館）である６階建ての建物３Ｃに設置されている。
【００２８】
建物３（建物３Ａ、３Ｂ、３Ｃ）は、それぞれ複数の乗場（階層）３０を有する。各乗場３０は、図２に示すように、それぞれ乗場近距離無線通信機３００を含む。乗場近距離無線通信機３００は、例えば、無線ＬＡＮやＵＳＢワイヤレス等の近距離無線通信が可能である。
【００２９】
本実施形態では、各乗場３０は、乗場近距離無線通信機３００に加えて、乗場呼び釦（乗場呼び装置）３０１を含む。尚、乗場呼びは、利用者等が乗場呼び釦３０１を用いて、後述するかご２１（エレベータ２のかご２１）を、利用者等が滞在している乗場３０まで移動させる呼びである。
【００３０】
尚、図１では、携帯端末１を所持する利用者が、各建物３の乗場３０に滞在し、且つ、かご２１に接近している場合を示している。この場合、携帯端末１と乗場近距離無線通信機３００とが通信可能である。また、図１は、携帯端末１を所持する利用者が各建物３の１階に滞在している場合を示しているが、この利用者は各建物３における各乗場３０に滞在することができる。さらに、携帯端末１を所持する利用者が、かご２１に搭乗した場合、携帯端末１はかご２１内に存在することになる。この場合、携帯端末１と後述するかご近距離無線通信機２１０とが通信可能である。
【００３１】
携帯端末１は、例えば、ＰＤＡ（Ｐｅｒｓｏｎａｌ  Ｄｉｇｉｔａｌ  Ａｓｓｉｓｔａｎｔ）やノートパソコン等の持ち運び可能な端末や、ウェアラブル端末等である。具体的に、携帯端末１は、利用者等（エレベータ２の利用者や、エレベータ２が設置されている建物３の管理者等）により所持される。携帯端末１は、乗場近距離無線通信機３００や後述するかご近距離無線通信機２１０との距離が所定距離以内（例えば、５ｍ以内）となったとき、これらと通信可能である。
【００３２】
本実施形態では、携帯端末１は、図３に示すように、遠隔操作用プログラムを実行する処理部１０と、遠隔操作用プログラムが記憶されている記憶部１１と、現在の時刻を示す時計機能部１２とを備える。尚、携帯端末１は、汎用性を有する端末であり、遠隔操作用プログラム以外の処理も行うことができる。
【００３３】
記憶部１１は、遠隔操作用プログラムとして、乗場３０に設けられた乗場近距離無線通信機３００と通信したか否かを判断する通信判断ステップ及び通信判断ステップ及び携帯端末１の時計機能部１２から現在の時刻を取得し、この現在の時刻が予め登録された時刻又は予め登録された時間帯であるか否かを判断する時刻判断ステップを含む開始ステップと、通信判断ステップにおいて乗場近距離無線通信機３００と通信したと判定し且つ時刻判断ステップにおいて現在の時刻が予め登録された時刻又は予め登録された時間帯であると判断したときに、予め登録された乗場呼びの要否についての条件に応じて、乗場呼びのための呼び信号を出力させるか否かを判断する呼び判断ステップと、呼び判断ステップにおいて呼び信号を出力させると判断したときに、制御マイコン２０に向けて呼び信号を出力させる呼び信号出力ステップと、呼び判断ステップにおいて呼び信号を出力させると判断したときに、予め登録された行き先階を指定する行き先階信号を出力させる行き先信号出力ステップと、を記憶している。
【００３４】
本実施形態では、記憶部１１は、乗場呼びの要否についての条件、及び、行き先階も記憶している。記憶部１１は、例えば、乗場呼びの要否及び行き先階を、時刻毎や時間帯毎に関連付けて記憶している。
【００３５】
記憶部１１は、例えば、各行に一つの手順を対応させて示した判断テーブルを記憶している。具体的に、記憶部１１は、図４に示すように、「手順番号」毎に、「出発階」と、「目的階」と、「実行時間帯」と、「エレベータ識別番号」とを関連付けた判断テーブルを記憶している。「手順番号」は、各手順の順序を示し、早期に実行すべき手順から順に各手順に振られた番号である。「出発階」は、利用者が乗り込む乗場を示す。尚、「出発階」にはワイルドカード（＊）を入力可能であり、「出発階」にワイルドカードが入力されている場合、利用者はどの乗場から乗り込んでも対応する手順を実行するものとする。「目的階」は、かごの行き先階を示す。「実行時間帯」は、乗場呼びを実行する時刻や時間帯を示す。尚、「実行時間帯」に指定なしと入力されている場合、この手順をいつでも実行するものとする。「エレベータ識別番号」は、乗場呼びを実行する対象となるエレベータの識別番号を示す。具体的に、「エレベータ識別番号００００００１」が建物３Ａ（自宅マンション）に設置されたエレベータ２Ａに対応し、「エレベータ識別番号００００００２」が建物３Ｂ（職場の本館）に設置されたエレベータ２Ｂに対応し、「エレベータ識別番号００００００３」が建物３Ｃ（職場の新館）に設置されたエレベータ２Ｃに対応する。
【００３６】
判断テーブルは、携帯端末１を所持する利用者が、自身の一日の行動パターンに応じて、コマンドを「判断テーブルの雛型」に直接書き込むことで構成されている。この判断テーブルが示すように、本実施形態では、利用者は、帰宅時に自宅マンションの１階から６階へ移動し（手順番号１）、出勤時に自宅マンションの６階から１階へ移動し（手順番号２）、出社時に職場の一方の棟（例えば、本館）の１階から２階に移動し（手順番号３）、昼食時に一旦職場の一方の棟（例えば、本館）の２階から１階に移動した後（手順番号４）、職場の他方の棟（例えば、新館）の１階から５階へ移動する（手順番号５）といった行動パターンを取る。さらに、この判断テーブルが示すように、利用者は、昼食後に職場の他方の棟（例えば、新館）の５階から１階へ移動した後（手順番号６）、職場の一方の棟（例えば、本館）の１階から２階に移動し（手順番号７）、退勤時に職場の一方の棟（例えば、本館）の２階から１階に移動し（手順番号８）、帰宅時に自宅マンションの１階から６階へ移動する（手順番号９）といった行動パターンを取る。
【００３７】
処理部１０は、記憶部１１にそれぞれ記憶された、通信判断ステップと時刻判断ステップとを含む開始ステップ、呼び判断ステップ、呼び信号出力ステップ、及び、行き先信号出力ステップを含む遠隔操作用プログラムを実行する。
【００３８】
処理部１０は、例えば、時刻判断ステップにおいて、現在の時刻が「実行時間帯」であり（「実行時間帯」が指定なしである場合も含む）且つ未だ実行していない「手順番号」があると判断すると共に、通信判断ステップにおいて、乗場近距離無線通信機３００と通信したと判断した場合、呼び判断ステップにおいて、乗場呼びの要否についての条件（例えば、利用者の滞在している乗場がこの「手順番号」に関連する「出発階」に一致するか否か、及び、利用者が滞在している建物３に設けられたエレベータ２のエレベータ識別番号がこの「手順番号」に関連する「エレベータ識別番号」に一致しているか否か）に応じて、乗場呼びのための呼び信号を出力させるか否かを判断する。
【００３９】
具体的に、処理部１０は、時刻判断ステップにおいて、現在の時刻が「実行時間帯」と一致し（「実行時間帯」が指定なしである場合も含む）且つ未だ実行していない「手順番号」が一つあると判断した場合、通信判断ステップにおいて、携帯端末１と乗場近距離無線通信機３００との通信を認識し、乗場近距離無線通信機３００との通信に基づいて利用者の滞在している乗場３０（現在階）を取得する。さらに、処理部１０は、呼び判断ステップにおいて、利用者の滞在している乗場３０と、この「手順番号」に関連する「出発階」とを比較し、これらが一致していれば乗場呼びのための呼び信号（例えば、「出発階」を示す信号）を出力させると判断し、これらが一致していなければ乗場呼びのための呼び信号を出力させないと判断する。また、処理部１０は、時刻判断ステップにおいて、現在の時刻が「実行時間帯」と一致し（「実行時間帯」が指定なしである場合も含む）且つ未だ実行していない「手順番号」が複数あると判断した場合、通信判断ステップにおいて、携帯端末１と乗場近距離無線通信機３００との通信を認識し、呼び判断ステップにおいて、この複数の「手順番号」のうち最も早い「手順番号」から順に、これに関連する「出発階」と利用者の滞在している乗場３０とを比較する。さらに、処理部１０は、呼び判断ステップにおいて、この比較の結果、「出発階」と利用者の滞在している乗場３０とが一致すれば乗場呼びのための呼び信号（例えば、「出発階」にかご２１を呼ぶ呼び信号）を出力させると判断し、この複数の「手順番号」に関連する「出発階」の全てが利用者の滞在している乗場３０と一致しなければ乗場呼びのための呼び信号を出力させないと判断する。
【００４０】
尚、処理部１０は、時刻判断ステップにおいて、現在の時刻が「実行時間帯」と一致し（「実行時間帯」が指定なしである場合も含む）且つ未だ実行していない「手順番号」が無いと判断した場合、呼び判断ステップにおいて、乗場呼びのための呼び信号を出力させないと判断する。また、処理部１０は、時刻判断ステップにおいて、「実行時間帯」により時間指定が無いと判断した場合、以降の手順（「手順番号」がより遅い手順）に現在の時刻が「実行時間帯」と一致する手順があるかを判断し、このような手順があれば、通信判断ステップにおいて、携帯端末１と乗場近距離無線通信機３００との通信を認識し、呼び判断ステップにおいて、利用者の滞在している乗場３０と、一致する手順に関連する「出発階」とを比較し、乗場が一致していれば乗場呼びのための呼び信号を出力させると判断し、この乗場が一致していなければ乗場呼びのための呼び信号を出力させないと判断する。
【００４１】
より具体的に、処理部１０は、例えば、現在時刻が４：００であって「手順番号１」の乗場呼びを実施していない場合、利用者の滞在している乗場が１階であれば呼び判断ステップにおいて「手順番号１」の乗場呼びのための呼び信号（「出発階」１階にかご２１を呼ぶ呼び信号）を出力させると判断し、利用者の滞在している乗場が１階以外であれば呼び判断ステップにおいて乗場呼びのための呼び信号を出力させないと判断する。また、処理部１０は、例えば、現在時刻が１１：３０であって「手順番号１」の乗場呼びを既に実施している場合、呼び判断ステップにおいて乗場呼びのための呼び信号を出力させないと判断する。
【００４２】
さらに、処理部１０は、例えば、現在時刻が１２：１０であって「手順番号１」〜「手順番号４」を既に実施している場合、利用者の滞在している乗場が１階であれば呼び判断ステップにおいて「手順番号５」の乗場呼びのための呼び信号（「出発階」１階にかご２１を呼ぶ呼び信号）を出力させると判断し、利用者の滞在している乗場が５階であれば呼び判断ステップにおいて「手順番号６」の乗場呼びのための呼び信号（「出発階」５階にかご２１を呼ぶ呼び信号）を出力させると判断し、利用者の滞在している乗場が３階であれば呼び判断ステップにおいて乗場呼びのための呼び信号を出力させないと判断する。処理部１０は、例えば、現在時刻が１９：００であって「手順番号１」〜「手順番号６」を既に実施している場合、利用者の滞在している乗場が２階であれば呼び判断ステップにおいて「手順番号８」の乗場呼びのための呼び信号（「出発階」２階にかご２１を呼ぶ呼び信号）を出力させると判断し、利用者の滞在している乗場が１階であれば呼び判断ステップにおいて「手順番号９」の乗場呼びのための呼び信号（「出発階」１階にかご２１を呼ぶ呼び信号）を出力させると判断し、利用者の滞在している乗場が３階であれば呼び判断ステップにおいて乗場呼びのための呼び信号を出力させないと判断する。
【００４３】
尚、処理部１０は、時刻判断ステップにおいて、現在の時刻が特定の「手順番号」の「実行時間帯」と一致すると判断したものの、携帯端末１と乗場近距離無線通信機３００との通信を認識できず、通信判断ステップにおいて、乗場近距離無線通信機３００との通信に基づいて利用者の滞在している乗場３０（現在階）を取得できない場合、開始ステップ（時刻判断ステップ及び通信判断ステップ）を繰り返す、言い換えると、現在の時刻がこの「手順番号」の「実行時間帯」から外れるまで、現在階の取得を試みる。処理部１０は、現在の時刻がこの「手順番号」の「実行時間帯」から外れるまでに現在階を取得できれば、呼び判断ステップにおいて、現在階と「出発階」とを比較し、乗場が一致していれば乗場呼びのための呼び信号を出力させると判断し、この乗場が一致していなければ乗場呼びのための呼び信号を出力させないと判断する。一方、処理部１０は、現在階を取得できないまま、現在の時刻がこの「手順番号」の「実行時間帯」を経過した場合、次の「手順番号」の手順について、呼び判断ステップにおいて乗場呼びのための呼び信号を出力させるか否かを判断する。
【００４４】
処理部１０は、呼び信号出力ステップにおいて、呼び判断ステップで呼び信号を出力させると判断したときに、制御マイコン２０に向けて呼び信号（判断テーブルにおける「出発階」にかご２１を呼ぶ呼び信号）を出力させる。また、処理部１０は、行き先信号出力ステップにおいて、呼び判断ステップで呼び信号を出力させると判断したときに、判断テーブルにおける「目的階」を行き先階として指定する行き先階信号を出力させる。
【００４５】
具体的に、処理部１０は、呼び判断ステップで、例えば、「手順番号１」の乗場呼びのための呼び信号を出力させると判断したとき、制御マイコン２０に向けて、「手順番号１」の乗場呼びのための呼び信号（例えば、「出発階」である１階にかご２１を呼ぶ呼び信号）を出力させる。また、処理部１０は、呼び判断ステップで、例えば、「手順番号１」の乗場呼びのための呼び信号を出力させると判断した場合、かご近距離無線通信機２１０Ｂと携帯端末１とが通信可能となったときに、「手順番号１」に関連する「目的階」である６階を行き先階として指定する行き先階信号を出力させる。
【００４６】
尚、本実施形態では、処理部１０は、呼び信号出力ステップで「出発階」を示す呼び信号を出力する際に、この呼び信号に加えて、判断テーブルに基づき乗場呼びの対象となるエレベータ２の「エレベータ識別番号」を制御マイコン２０に出力する。その後、処理部１０は、後述する制御マイコン２０から「エレベータの固有の情報が、携帯端末１に予め登録されたエレベータの固有の情報と異なる旨の信号」が出力された場合には、呼び信号出力ステップ及び行き先信号出力ステップを中止させる。また、処理部１０は、呼び信号出力ステップで「出発階」を示す呼び信号を出力する際に、「手順番号１」に関連する「目的階」が６階である旨も制御マイコン２０に出力する。
【００４７】
さらに、処理部１０は、特定の手順について乗場呼び及び行き先階指定を行うと、この特定の手順を実行した旨を記憶する。次に、処理部１０は、以下の手順（実行した手順より「手順番号」の遅い手順）を実行する。具体的に、処理部１０は、かご近距離無線通信機２１０との通信を認識しなくなるまで（通信が切れるまで）待ち、以降の手順があればこの手順を実行し、以降の手順がなければ処理を終了する。
【００４８】
エレベータ２は、複数の乗場３０にそれぞれ配置された乗場近距離無線通信機３００と通信可能な制御マイコン２０（図１参照）に加えて、制御マイコン２０に接続され且つエレベータ２が設置されている建物３内に設けられた昇降路内を昇降するかご２１と、を有する。本実施形態では、かご２１には、かご近距離無線通信機２１０が配置されている。かご近距離無線通信機２１０も、乗場近距離無線通信機３００と同様に、例えば、無線ＬＡＮやＵＳＢワイヤレス等の近距離無線通信が可能である。
【００４９】
制御マイコン２０は、かご２１の動作を制御する。具体的に、制御マイコン２０は、乗場呼び釦３０１が押下されると、押下された乗場呼び釦３０１が設けられている乗場３０まで移動するようかご２１を制御し、かご２１内に設置された行き先釦（不図示）が押下されると、対応する乗場３０まで移動するようかご２１を制御する。
【００５０】
また、制御マイコン２０は、処理部１０から乗場呼びを示す呼び信号が出力されると、この信号に応じた乗場３０（判断テーブルにおける「出発階」）まで移動するようかご２１を制御する。さらに、制御マイコン２０は、処理部１０から、行き先階信号が出力されると、この信号に応じた乗場３０（判断テーブルにおける「目的階」）まで移動するようかご２１を制御する。
【００５１】
本実施形態では、制御マイコン２０は、自身が備えられているエレベータ２の固有の情報（例えば、エレベータ２のエレベータ識別番号）を記憶している。制御マイコン２０は、行き先信号出力ステップにおいて、処理部１０から「目的階」を行き先階として指定する行き先階信号と共に「エレベータ識別番号」が出力されると、「エレベータ識別番号」とエレベータの固有の情報（例えば、エレベータ２のエレベータ識別番号）とを比較する。また、制御マイコン２０は、この比較の結果、「エレベータ識別番号」とエレベータの固有の情報（例えば、エレベータ２のエレベータ識別番号）とが異なれば、処理部１０に「エレベータの固有の情報が、携帯端末１に予め登録されたエレベータの固有の情報と異なる旨の信号」を出力する。
【００５２】
以下、図５及び図６のフローチャート図を用いて、遠隔操作用プログラムにおける処理の流れを説明する。
【００５３】
処理部１０は、判断テーブル（図４参照。）の「手順番号」に基づき、未だ実行しておらず且つ最も早い手順を認識する（図５のＳ０１）。処理部１０は、認識した手順に対応する「実行時間帯」において時間指定がされており（Ｓ０２においてＹｅｓ）、時刻判断ステップにおいて、時計機能部１２から取得した現在の時刻が「実行時間帯」（予め登録された時刻又は予め登録された時間帯）と一致しており（Ｓ０３においてＹｅｓ）、通信判断ステップにおいて、携帯端末１と乗場近距離無線通信機３００との通信を認識すれば（Ｓ０４においてＹｅｓ）、乗場近距離無線通信機３００との通信に基づいて、利用者の滞在している乗場３０（現在階）を取得する（Ｓ０５）。処理部１０は、呼び判断ステップにおいて、この現在階が「出発階」と一致していれば（Ｓ０６においてＹｅｓ）、呼び信号出力ステップにおいて、制御マイコン２０に呼び信号（「出発階」）と「目的階」と「エレベータ識別番号」とを出力する（Ｓ０７）。
【００５４】
制御マイコン２０は、呼び判断ステップのＳ０７において処理部１０から出力された「エレベータ識別番号」が、エレベータ２のエレベータ識別番号と一致すれば（Ｓ０８においてＹｅｓ）、呼び信号（「出発階」）に応じてかご２１を現在階に到着させる（Ｓ０９）。
【００５５】
次に、処理部１０は、かご近距離無線通信機２１０と携帯端末１との通信を認識すれば（図６のＳ１０においてＹｅｓ）、行き先信号出力ステップにおいて、制御マイコン２０に行き先信号（「目的階」）を再度出力する（Ｓ１１）。
【００５６】
制御マイコン２０は、行き先信号出力ステップのＳ１１において処理部１０から出力された行き先信号（「目的階」）に応じて、目的階に向けてかご２１を昇降させて、目的階でかご２１のドアを開閉させ（Ｓ１２）、この手順を実行した旨を記憶する。
【００５７】
さらに、処理部１０は、携帯端末１とかご近距離無線通信機２１０との通信を認識しなくなるまで（通信が切れるまで、Ｓ１３においてＹｅｓ）待ち、かご近距離無線通信機２１０と携帯端末１との通信を認識せず（通信が切れ、Ｓ１３においてＮｏ）、以降の手順がなければ（Ｓ１４においてＮｏ）、処理を終了する。尚、以降の手順があれば（Ｓ１４においてＹｅｓ）、以降の手順に移行し（図５のＳ１８）、この手順を認識する（Ｓ０１）。
【００５８】
尚、処理部１０は、Ｓ０１において認識した手順に対応する「実行時間帯」において時間指定がなければ（図５のＳ０２においてＮｏ）、時計機能部１２から現在の時刻を取得し、現在の時刻が「手順番号」の遅い手順（以降の手順）の「実行時間帯」と一致していれば（Ｓ１５においてＹｅｓ）、この手順（現在の時刻が「実行時間帯」と一致する手順）に移行し（Ｓ１６）、この手順を認識して（Ｓ０１）、Ｓ０２以降の処理を続ける。また、処理部１０は、現在の時刻が「手順番号」の遅い手順（以降の手順）の「実行時間帯」と一致しなければ（Ｓ１５においてＮｏ）、この手順（Ｓ０１において認識した手順）を認識したまま、Ｓ０４以降の処理に進む。
【００５９】
処理部１０は、Ｓ０１において認識した手順に対応する「実行時間帯」において時間指定があり（Ｓ０２においてＹｅｓ）、時刻判断ステップにおいて、時計機能部１２から取得した現在の時刻がこの「実行時間帯」と一致しないと判断し（Ｓ０３においてＮｏ）、現在の時刻がこの「実行時間帯」を過ぎていれば（Ｓ１７においてＹｅｓ）、Ｓ０１で認識した手順よりも遅い手順（以降の手順）に移行し（Ｓ１８）、この手順を認識して（Ｓ０１）、Ｓ０２以降の処理を続ける。
【００６０】
また、処理部１０は、通信判断ステップにおいて、携帯端末１と乗場近距離無線通信機３００との通信がないと判断した場合（Ｓ０４においてＮｏ）、呼び判断ステップにおいて、取得した現在階が「出発階」と一致しないと判断した場合（Ｓ０６においてＮｏ）、及び、呼び判断ステップにおいて、処理部１０から出力された「エレベータ認識番号」が、エレベータ２のエレベータ識別番号と一致しない場合（Ｓ０８においてＮｏ）、再び認識した手順の「実行時間帯」で時間指定がされているかを判定して（Ｓ０２）、以降の処理を続ける。
【００６１】
以上の遠隔操作用プログラムは、処理部１０に、予め登録された条件（例えば、図４の判断テーブル）に応じて乗場呼びを行わせて、乗場呼びを行わせた場合に予め登録された行き先階を指定させる。言い換えると、このプログラムは、利用者に入力等を行わせることなく、処理部１０に、行動パターン（予め登録された条件）に応じたエレベータ２の遠隔操作（乗場呼びや行き先階指定）を自動的に行わせることができる。
【００６２】
また、携帯端末１は、上記エレベータの遠隔操作用プログラムを有するため、上記作用効果（行動パターン（予め登録された条件）に応じて、エレベータ２の遠隔操作（乗場呼びや行き先階指定）を自動的に行うことができるとの効果）を奏することができる。
【００６３】
さらに、エレベータ２は、上記遠隔操作用プログラムに基づいて操作されるため、上記作用効果（行動パターン（予め登録された条件）に応じて、エレベータ２の遠隔操作（乗場呼びや行き先階指定）を自動的に行うことができるとの効果）を奏することができる。
【００６４】
本実施形態の遠隔操作用プログラムでは、携帯端末１に、現在の時刻が登録された時刻又は時間帯である場合に各種ステップを行わせることで、利用者の行動パターンに応じて、エレベータ２の遠隔操作を行わせることができる。
【００６５】
また、本実施形態の遠隔操作用プログラムでは、処理部１０は、制御マイコン２０から「エレベータの固有の情報（エレベータ識別番号）が、記憶部１１に予め登録されたエレベータの固有の情報（「エレベータ識別番号」）と異なる旨の信号」が出力されたときに、呼び信号出力ステップ及び行き先信号出力ステップを中止させる。そのため、予め登録されたエレベータ以外のエレベータに対する操作を防ぐことができる。
【００６６】
さらに、本実施形態の遠隔操作用プログラムは、処理部１０に、行き先階出力ステップにおいて、携帯端末１を所持する利用者がかご２１に接近した場合に（例えば、利用者がかご２１に搭乗した場合に）行き先階信号を出力させるため、この利用者がかごに接近していない（例えば、利用者がかご２１に搭乗していない）にもかかわらず携帯端末１から行き先階信号が出力されることを防止することができる。
【００６７】
本実施形態の遠隔操作用プログラムでは、処理部１０は、通信判断ステップにおいて、利用者の滞在している乗場３０（現在階）を取得できない場合、呼び判断ステップにおいて、乗場呼びが不要であると判断するため、例えば、利用者がエレベータ２を利用する意図が無く、一旦エレベータ２の近くを通り過ぎた場合や、一旦エレベータ２に近づいた後に離れた場合に、乗場呼びは実行されない。
【００６８】
また、本実施形態の遠隔操作用プログラムでは、制御マイコン２０は、処理部１０から出力された判断テーブルにおける「エレベータ識別番号」とエレベータ２のエレベータ識別番号とが一致したときに、乗場呼びを実行する。そのため、例えば、利用者が職場の一方の棟の建物３Ｂを一旦出て退勤した後（「手順番号」８の手順を実行した後）、忘れ物をしたことに気づいて、職場の一方の棟の建物３Ｂの１階の乗場３０Ｂに再び近づいたとしても、「手順番号」９に対応する「エレベータ識別番号」が「００００００１」であり、エレベータ２Ｂのエレベータ識別番号は「００００００２」であるため、乗場呼びは実行されない。言い換えると、利用者が、登録した行動パターンとは異なる行動を取ることで、想定されたエレベータ２Ａと異なるエレベータ２Ｂの乗場３０に近づいたとしても、乗場呼びは実行されない。
【００６９】
さらに、本実施形態の遠隔操作用プログラムでは、処理部１０は、かご近距離無線通信機２１０との通信を認識しなくなるまで（通信が切れるまで）、「図６のＳ１４の以降の手順があるか否かの判断」を待つため（図６のＳ１３）、例えば、利用者が目的階（行き先階）に到着したかご２１から降りるまで、次の乗場呼びが実行されることがなく、利用者の安全を確保できる。
【００７０】
尚、本発明の遠隔操作用プログラムは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７１】
例えば、記憶部１１に記憶されている判断テーブルは、利用者が予定を書き込み可能な携帯端末１のスケジュール表から自動作成されてもよい。言い換えると、処理部１０は、携帯端末１に予め登録されたスケジュール情報から場所及び時間の情報を取得し、この場所及び時間の情報に応じて、予め登録された乗場におけるかご呼びの要否についての条件、及び予め登録された行き先階を変更させてもよい。
【００７２】
具体的に、記憶部１１は、時間と場所とを関連付けて含むスケジュール表（図７参照。）と、場所と出発階と目的階とエレベータ識別番号とを関連付けて含む補助データベース（図８参照。）とを記憶していてもよい。この場合、処理部１０は、スケジュール表及び補助データベースから、判断テーブル（図４参照。）を自動作成してもよい。このような場合において、携帯端末１に予め登録されたスケジュール情報を利用することで、利用者が乗場呼びの要否や行き先階に関する情報を別途入力することを省略できる。
【００７３】
また、記憶部１１に記憶されている判断テーブルには、利用者が対話形式のアプリケーションを用いることで、情報が書き込まれてもよい。対話形式のアプリケーションは、記憶部１１に記憶されるアプリケーションであり、例えば、判断テーブル（図４参照。）の各項目を順番に質問し（例えば、「出発階は？」、「目的階は？」、「実行時間帯は？」、「エレベータ識別番号は？」といった質問）、この質問に対する回答を利用者に入力させるアプリケーションである。
【００７４】
尚、記憶部１１以外の端末であって処理部１０と通信可能な端末（例えば、サーバー、パソコン）等が、判断テーブル、スケジュール表、補助データベース、対話形式のアプリケーション等を記憶していてもよい。この場合、記憶部１１がこれらを記憶している必要がないため、携帯端末１のメモリ容量を抑えることができる。
【００７５】
判断テーブルは、特定の手順を実行した後に、この実行した手順先とは異なる別の特定の手順を実行するよう、例えば、「手順番号」に関連付けて「ジャンプ先」を記憶していてもよい。
【００７６】
また、判断テーブルが「手順番号」に関連付けて「繰り返し先」を記憶することで、処理部１０は、特定の手順を繰り返してもよい。具体的に、判断テーブルが「手順番号１０」に「繰り返し先１」及び「繰り返し回数無限」を関連付けて記憶することで、処理部１０は、「手順番号１」〜「手順番号９」の手順を、毎日繰り返して実行することができる。
【００７７】
さらに、判断テーブルが複数の手順をグループ化して記憶することで、処理部１０は、特定のグループの手順を繰り返してもよい。具体的に、判断テーブルが、「手順番号」に関連付けて「グループ」を記憶すると共に、「出発階」にグループ名を記憶することで、処理部１０は、グループ化された一連の手順の実行を再現することができる。
【００７８】
尚、判断テーブルは、処理部１０が一日単位の行動パターンを繰り返す場合であっても、「繰り返し先」を記憶しなくてもよい。この場合、利用者が、例えば、一日の行動が終了した後にコマンドを入力して判断テーブルを再び作成することで、処理部１０は一日単位の行動パターンを繰り返すことができる。
【００７９】
判断テーブルは、特定の手順の繰り返しを、特定の曜日や特定の日付のみに実行するよう記憶してもよい。具体的に、判断テーブルは、「手順番号」に関連付けて「実行曜日」や「実行日付」を記憶していてもよい。また、判断テーブルは、一日単位の利用者の行動パターンを記憶する代わりに、一週間単位や一月単位の行動パターンを記憶してもよい。
【００８０】
さらに、判断テーブルは、「手順番号」に関連付けて「特別運転パスワード」を記憶していてもよい。この場合、処理部１０は、利用者により入力され且つ携帯端末１から出力されたパスワードと、判断テーブルの「特別運転パスワード」とが一致すれば、対象のエレベータのかごに対するこの利用者以外による乗場呼びを排除し、この利用者による乗場呼びを優先して、かご２１を昇降させる運転（所謂、ＶＩＰ運転）を行うことができる。
【００８１】
判断テーブルは、特定の利用者のみが立ち入り可能な乗場３０（例えば、職場における研究開発室を有する階床や役員室を有する階床、又は、集合住宅においてその階床の住民のみが利用可能な階床）を「目的階」とした手順について、「手順番号」に関連付けて「認証パスワード」を記憶していてもよい。この場合、処理部１０は、利用者により入力され且つ携帯端末１から出力されたパスワードと、判断テーブルの「認証パスワード」とが一致すれば、この手順を実行し、特定の利用者のみが立ち入り可能な乗場３０にかご２１を昇降させることができる。
【００８２】
また、判断テーブルは、「手順番号」に関連付けて「実行時間帯」に「１０分後」等の情報を記憶してもよい。この場合、処理部１０は、前回実行した乗場呼びから１０分後に、この特定の手順を実行することができる。尚、この場合、特定の携帯端末１（権限を有する携帯端末１）のみ、判断テーブルに対する「実行時間帯」に「１０分後」等の情報を記憶させてもよい。
【００８３】
携帯端末１は、かご近距離無線通信機２１０及び乗場近距離無線通信機３００と、１対１でペアリングを必要とするＢｌｕｅｔｏｏｔｈ（登録商標）等により、通信可能であってもよい。この場合、携帯端末１は、かご近距離無線通信機２１０及び乗場近距離無線通信機３００との通信の際、例えば、上述のＶＩＰ運転等のセキュリティ性のある乗場呼びや行き先階指定に関する通信についてＢｌｕｅｔｏｏｔｈを用い、他の乗場呼びや行き先階指定に関する通信については無線ＬＡＮ等により行ってもよい。
【００８４】
処理部１０は、以降の手順があるか否かの判断（図６のＳ１４）を、かご近距離無線通信機２１０との通信を認識しなくなるまで（通信が切れるまで）待つ（Ｓ１３）代わりに、所定時間待ってもよい。
【００８５】
かご２１には、かご近距離無線通信機２１０が設置されていなくてもよい。この場合、処理部１０は、乗場近距離無線通信機３００との通信を一旦認識した後、認識しなくなるまで（利用者が乗場３０から離れるまで）、以降の手順があるか否かの判断（Ｓ１４）を待ってもよい。
【００８６】
これらの場合においても、例えば、利用者が目的階（行き先階）に到着したかご２１から降りるまでに、次の乗場呼びが実行されることを抑制できるため、利用者の安全を確保できる。
【００８７】
制御マイコン２０は、自身が備えられているエレベータ２の固有の情報として、エレベータ２が停止可能な乗場（階床）に関する情報を記憶していてもよい。具体的に、制御マイコン２０は、エレベータ２が停止可能な最下階及び最上階の情報を記憶していてもよい。この場合、制御マイコン２０は、処理部１０から、行き先信号出力ステップで「目的階」（例えば、６階）を行き先階として指定する行き先階信号が出力されると、「目的階」（例えば、６階）とエレベータの固有の情報（例えば、エレベータ２に設けられている乗場（階床）が１階から４階であること）とを比較し、これらが異なれば、処理部１０に「エレベータの固有の情報が携帯端末１に予め登録されたエレベータの固有の情報と異なる旨の信号（エレベータ２には「目的階」の乗場（階床）が無いとの信号）」を出力してもよい。この場合においても、処理部１０は、異なる旨の信号が出力されたときに、呼び信号出力ステップ及び行き先信号出力ステップを中止させることで、予め登録されたエレベータ以外のエレベータに対する操作を防ぐことができる。
【００８８】
尚、制御マイコン２０は、処理部１０から出力された「エレベータ識別番号」とエレベータ２のエレベータ識別番号とが異なっていたり、処理部１０から出力された「目的階」とエレベータ２に設けられている乗場（階床）とが異なっていたりする場合に、これらが異なる旨の信号を出力する代わりに、処理部１０から「目的階」を行き先階として指定する行き先階信号が出力されてもかご２１を昇降させなくてもよい。この場合、かご２１の移動に関する誤操作（行動パターンで想定されている建物以外の建物でのかご２１の昇降）を抑制することができる。
【００８９】
複数のエレベータ２が、一つの建物３に設置されていてもよい。具体的に、エレベータ２Ｄ，２Ｅが建物３Ｄに設置されている場合、判断テーブルにおける「エレベータ識別番号」にエレベータ２Ｄのエレベータ識別番号が入っており、図５のＳ０７において携帯端末１からエレベータ２Ｅのエレベータ識別番号が出力されたとしても、Ｓ０８で「出力されたエレベータ識別番号がエレベータ２の識別番号と一致する旨の信号」を制御マイコン２０に出力し、エレベータ２Ｅのかごを現在階に到着させてもよい。
【００９０】
また、エレベータ識別番号は特定（１台）のエレベータを指す代わりに、複数台のエレベータで構成されるグループを指すものでもよい。具体的に、「エレベータ識別番号０００００１０」がある建物３Ｄに設置された複数のエレベータ２Ｄ、２Ｅを指す場合、エレベータ識別番号０００００１０に対応する手順は、エレベータ２Ｄ、２Ｅのうちどのエレベータが実行してもよい。この場合、制御マイコン２０は、Ｓ０７（図５）で出力された「目的階」に基づいて、対象グループ（Ｓ０８で識別番号が一致したグループ）に属する複数台のエレベータのうち、運転効率を考慮して適切なエレベータを選択して、、Ｓ０９でこのエレベータのかごを現在階（出発階）に到着させてもよい。
【００９１】
尚、エレベータ２は、複数の乗場（階床）を有する建物３に設置されていたが、複数の乗場を有する歩道橋等に設置されていてもよい。
【符号の説明】
【００９２】
１…携帯端末（携帯無線端末）、２，２Ａ，２Ｂ，２Ｃ，２Ｄ，２Ｅ…エレベータ、２０，２０Ａ，２０Ｂ，２０Ｃ…制御マイコン、２１，２１Ａ，２１Ｂ，２１Ｃ…かご、２１０，２１０Ａ，２１０Ｂ，２１０Ｃ…かご近距離無線通信機、３，３Ａ，３Ｂ，３Ｃ，３Ｄ…建物、３０…乗場、３００…乗場近距離無線通信機、３０１…乗場呼び釦
【図１】
2019001628.tif 000003
【図２】
2019001628.tif 000004
【図３】
2019001628.tif 000005
【図４】
2019001628.tif 000006
【図５】
2019001628.tif 000007
【図６】
2019001628.tif 000008
【図７】
2019001628.tif 000009
【図８】
2019001628.tif 000010